(57)【特許請求の範囲】
【請求項１】
情報記録媒体が設置された施設内の設置場所であって複数の異なる前記設置場所毎に関連する提供情報を提供するサーバ装置と、何れかの前記設置場所に設置される表示端末とが通信手段を介して通信可能な情報提供システムであって、
前記表示端末は、
当該表示端末の識別情報を記憶する表示端末情報記憶手段と、
当該表示端末が前記設置場所に設置される際に、当該設置場所に設置された前記情報記録媒体に記録された当該設置場所の識別情報を当該情報記録媒体から読み取る読取手段と、
前記表示端末情報記憶手段に記憶された前記表示端末の識別情報と、前記読取手段により読み取られた前記設置場所の識別情報とを前記通信手段を介してサーバ装置へ送信する端末送信手段と、
を備え、
前記読取手段は、さらに、前記施設の関係者により携帯された情報記録媒体に記録された当該関係者の識別情報を当該情報記録媒体から読み取り、
前記端末送信手段は、さらに、前記表示端末情報記憶手段に記憶された前記表示端末の識別情報と、前記読取手段により読み取られた前記関係者の識別情報とを含む登録解除要求を前記通信手段を介してサーバ装置へ送信し、
前記サーバ装置は、
設置が許可された許可端末の識別情報を記憶する許可端末情報記憶手段と、
前記表示端末から当該表示端末の識別情報及び前記設置場所の識別情報が受信されたとき、当該表示端末が前記許可端末であるかを認証する認証手段と、
前記認証手段により前記表示端末が前記許可端末であることが認証された場合、前記受信された前記表示端末の識別情報と前記設置場所の識別情報とを対応付けて登録する登録手段と、
前記登録手段により前記表示端末の識別情報と前記設置場所の識別情報とが登録された場合、当該登録された前記設置場所の識別情報に対応する前記提供情報を、当該識別情報が登録された前記表示端末へ前記通信手段を介して送信するサーバ送信手段と、
登録解除権限を有する関係者の識別情報を記憶する解除権限者情報記憶手段と、
前記表示端末から前記登録解除要求が受信されたとき、当該登録解除要求に含まれる前記関係者の識別情報が前記解除権限者情報記憶手段に記憶されているか否かを判定する第２判定手段と、
前記第２判定手段により前記関係者の識別情報が記憶されていると判定された場合、前記登録解除要求に含まれる前記表示端末の識別情報及び当該識別情報に対応付けられた前記設置場所の識別情報の登録を解除する登録解除手段と、
を備え、
前記表示端末は、
前記サーバ装置から受信した前記提供情報をメモリに記憶して表示画面に表示させる表示制御手段を備えることを特徴とする情報提供システム。
【請求項２】
前記サーバ装置は、前記認証手段により前記表示端末が前記許可端末であることが認証された場合、当該表示端末の識別情報が何れかの前記設置場所の識別情報に対応付けられて既に登録されているか否かを判定する第１判定手段を更に備え、
前記登録手段は、前記第１判定手段により前記表示端末の識別情報が何れかの前記設置場所の識別情報に対応付けられて既に登録されていると判定された場合、前記受信された前記表示端末の識別情報及び前記設置場所の識別情報を登録しないことを特徴とする請求項１に記載の情報提供システム。
【請求項３】
前記読取手段は、前記施設の関係者により携帯された情報記録媒体に記録された当該関係者の識別情報を当該情報記録媒体から読み取り、
前記表示制御手段は、前記提供情報のうち、当該読取手段により読み取られた前記識別情報が示す関係者の権限範囲内の提供情報を前記表示画面に表示させることを特徴とする請求項１または２に記載の情報提供システム。
【請求項４】
前記表示端末は、当該表示端末と前記サーバ装置との間の通信または当該表示端末と前記情報記録媒体との間の通信が切断した場合、前記提供情報を記憶するメモリをリフレッシュするメモリリフレッシュ手段を更に備えることを特徴とする請求項１乃至３の何れか一項に記載の情報提供システム。
【請求項５】
前記設置場所は、患者用のベッドが複数設置された施設内で当該ベッドが設置される場所であり、
前記提供情報には、前記ベッドを使用する患者の情報が含まれることを特徴とする請求項１乃至４の何れか一項に記載の情報提供システム。
【請求項６】
前記設置場所は、会議室または学習室が複数設置された施設内の当該会議室または学習室の出入口の場所であり、
前記提供情報には、前記会議室または学習室を使用する使用者の情報が含まれることを特徴とする請求項１乃至４の何れか一項に記載の情報提供システム。
【請求項７】
前記設置場所は、所定の物の製造設備を有する作業場が複数設けられた施設内の当該作業場であり、
前記提供情報には、前記作業場において作業を行う作業者に対する作業指示情報が含まれることを特徴とする請求項１乃至４の何れか一項に記載の情報提供システム。
【請求項８】
前記サーバ送信手段は、前記登録手段により前記表示端末の識別情報と前記設置場所の識別情報とが登録された場合において、前記表示端末からの前記提供情報の要求があったときに、当該提供情報を、前記表示端末へ前記通信手段を介して送信することを特徴とする請求項１乃至７の何れか一項に記載の情報提供システム。
【請求項９】
情報記録媒体から情報を読み取る読取機器が設置された施設内の設置場所であって複数の異なる前記設置場所毎に関連する提供情報を提供するサーバ装置と、前記情報記録媒体が装着され何れかの前記設置場所に設置される表示端末とが通信手段を介して通信可能な情報提供システムであって、
前記読取機器は、
当該読取機器が設置された前記設置場所の識別情報を記憶する機器情報記憶手段と、
前記表示端末が前記設置場所に設置される際に、当該表示端末に装着された前記情報記録媒体に記録された当該表示端末の識別情報を当該情報記録媒体から読み取る読取手段と、
前記機器情報記憶手段に記憶された前記設置場所の識別情報と、前記読取手段により読み取られた前記表示端末の識別情報とを前記通信手段を介してサーバ装置へ送信する機器送信手段と、
前記読取手段は、さらに、前記施設の関係者により携帯された情報記録媒体に記録された当該関係者の識別情報を当該情報記録媒体から読み取り、
前記機器送信手段は、さらに、前記表示端末の識別情報と、前記読取手段により読み取られた前記関係者の識別情報とを含む登録解除要求を前記通信手段を介してサーバ装置へ送信し、
を備え、
前記サーバ装置は、
設置が許可された許可端末の識別情報を記憶する許可端末情報記憶手段と、
前記読取機器から前記設置場所の識別情報及び前記表示端末の識別情報が受信されたとき、当該表示端末が前記許可端末であるかを認証する認証手段と、
前記認証手段により前記表示端末が前記許可端末であることが認証された場合、前記受信された前記表示端末の識別情報と前記設置場所の識別情報とを対応付けて登録する登録手段と、
前記登録手段により前記表示端末の識別情報と前記設置場所の識別情報とが登録された場合、当該登録された前記設置場所の識別情報に対応する前記提供情報を、当該識別情報が登録された前記表示端末へ前記通信手段を介して送信するサーバ送信手段と、
登録解除権限を有する関係者の識別情報を記憶する解除権限者情報記憶手段と、
前記読取機器から前記登録解除要求が受信されたとき、当該登録解除要求に含まれる前記関係者の識別情報が前記解除権限者情報記憶手段に記憶されているか否かを判定する判定手段と、
前記判定手段により前記関係者の識別情報が記憶されていると判定された場合、前記登録解除要求に含まれる前記表示端末の識別情報及び当該識別情報に対応付けられた前記設置場所の識別情報の登録を解除する登録解除手段と、
を備え、
前記表示端末は、前記サーバ装置から受信した前記提供情報をメモリに記憶して表示画面に表示させる表示制御手段を備えることを特徴とする情報提供システム。
【請求項１０】
情報記録媒体が設置された施設内の設置場所であって複数の異なる前記設置場所毎に関連する提供情報を提供するサーバ装置と、何れかの前記設置場所に設置される表示端末であって当該表示端末が前記設置場所に設置される際に、当該設置場所に設置された前記情報記録媒体に記録された当該設置場所の識別情報を当該情報記録媒体から読み取り当該表示端末の識別情報と前記読み取られた前記設置場所の識別情報とをサーバ装置へ送信する表示端末とが通信手段を介して通信可能な情報提供システムに含まれる前記サーバ装置であって、
設置が許可された許可端末の識別情報を記憶する許可端末情報記憶手段と、
前記表示端末から当該表示端末の識別情報及び前記設置場所の識別情報が受信されたとき、当該表示端末が前記許可端末であるかを認証する認証手段と、
前記認証手段により前記表示端末が前記許可端末であることが認証された場合、前記受信された前記表示端末の識別情報と前記設置場所の識別情報とを対応付けて登録する登録手段と、
前記登録手段により前記表示端末の識別情報と前記設置場所の識別情報とが登録された場合、当該登録された前記設置場所の識別情報に対応する前記提供情報を、当該識別情報が登録された前記表示端末へ前記通信手段を介して送信して当該提供情報を表示画面に表示させる表示制御手段と、
登録解除権限を有する関係者の識別情報を記憶する解除権限者情報記憶手段と、
前記表示端末の識別情報と、前記施設の関係者により携帯された情報記録媒体から前記表示端末により読み取られた当該関係者の識別情報とを含む登録解除要求を受信する受信手段と、
前記表示端末から前記登録解除要求が受信されたとき、当該登録解除要求に含まれる前記関係者の識別情報が前記解除権限者情報記憶手段に記憶されているか否かを判定する判定手段と、
前記判定手段により前記関係者の識別情報が記憶されていると判定された場合、前記登録解除要求に含まれる前記表示端末の識別情報及び当該識別情報に対応付けられた前記設置場所の識別情報の登録を解除する登録解除手段と、
を備えることを特徴とするサーバ装置。
【発明の詳細な説明】
【技術分野】
【０００１】
本発明は、表示端末の設置場所に応じた情報を表示するシステム等の技術分野に関する。
【背景技術】
【０００２】
この種のシステムとして、特許文献１には、コンテンツ配信サーバと、当該コンテンツ配信サーバからコンテンツデータの配信を受ける表示端末（表示装置）とを備えるコンテンツ配信システムが開示されている。このコンテンツ配信システムでは、コンテンツ配信サーバが、表示端末に配信するコンテンツデータを格納する配信フォルダを当該表示端末の複数の設置場所に対応して複数設けている。そして、設置場所に設置された表示端末は、コンテンツ配信サーバから設置場所に対応するコンテンツデータを取得して、設置場所に対応する登録コンテンツを再生して、表示部に表示させるようになっている。
【先行技術文献】
【特許文献】
【０００３】
【特許文献１】特開２０１５−１１８４９１号公報
【発明の概要】
【発明が解決しようとする課題】
【０００４】
しかしながら、上述した特許文献１に開示されたコンテンツ配信システムでは、作業者が表示端末を設置場所に設置する際に、表示端末と設置場所とを紐づけるための登録作業が発生する。加えて、作業者が表示端末を設置場所に設置する際に、セキュリティを保つため、当該表示端末が、設置が許可（承認）された端末であるかどうかの確認作業が発生する場合がある。したがって、特に、設置場所の候補が多い、もしくは複雑な場合や設置場所の交換頻度が高い場合には作業者にとって大きな作業負荷となり、その管理も煩雑である。
【０００５】
そこで、本発明は、表示端末が設置場所に設置される際に、セキュリティを保ちつつ、作業者による作業負荷を低減することが可能な情報提供システム、及びサーバ装置を提供することを目的とする。
【課題を解決するための手段】
【０００６】
上記課題を解決するために、請求項１に記載の発明は、情報記録媒体が設置された施設内の設置場所であって複数の異なる前記設置場所毎に関連する提供情報を提供するサーバ装置と、何れかの前記設置場所に設置される表示端末とが通信手段を介して通信可能な情報提供システムであって、前記表示端末は、当該表示端末の識別情報を記憶する表示端末情報記憶手段と、当該表示端末が前記設置場所に設置される際に、当該設置場所に設置された前記情報記録媒体に記録された当該設置場所の識別情報を当該情報記録媒体から読み取る読取手段と、前記表示端末情報記憶手段に記憶された前記表示端末の識別情報と、前記読取手段により読み取られた前記設置場所の識別情報とを前記通信手段を介してサーバ装置へ送信する端末送信手段と、を備え、前記読取手段は、さらに、前記施設の関係者により携帯された情報記録媒体に記録された当該関係者の識別情報を当該情報記録媒体から読み取り、前記端末送信手段は、さらに、前記表示端末情報記憶手段に記憶された前記表示端末の識別情報と、前記読取手段により読み取られた前記関係者の識別情報とを含む登録解除要求を前記通信手段を介してサーバ装置へ送信し、前記サーバ装置は、設置が許可された許可端末の識別情報を記憶する許可端末情報記憶手段と、前記表示端末から当該表示端末の識別情報及び前記設置場所の識別情報が受信されたとき、当該表示端末が前記許可端末であるかを認証する認証手段と、前記認証手段により前記表示端末が前記許可端末であることが認証された場合、前記受信された前記表示端末の識別情報と前記設置場所の識別情報とを対応付けて登録する登録手段と、前記登録手段により前記表示端末の識別情報と前記設置場所の識別情報とが登録された場合、当該登録された前記設置場所の識別情報に対応する前記提供情報を、当該識別情報が登録された前記表示端末へ前記通信手段を介して送信するサーバ送信手段と、登録解除権限を有する関係者の識別情報を記憶する解除権限者情報記憶手段と、前記表示端末から前記登録解除要求が受信されたとき、当該登録解除要求に含まれる前記関係者の識別情報が前記解除権限者情報記憶手段に記憶されているか否かを判定する第２判定手段と、前記第２判定手段により前記関係者の識別情報が記憶されていると判定された場合、前記登録解除要求に含まれる前記表示端末の識別情報及び当該識別情報に対応付けられた前記設置場所の識別情報の登録を解除する登録解除手段と、を備え、前記表示端末は、前記サーバ装置から受信した前記提供情報をメモリに記憶して表示画面に表示させる表示制御手段を備えることを特徴とする。
【０００７】
請求項２に記載の発明は、請求項１に記載の情報提供システムにおいて、前記サーバ装置は、前記認証手段により前記表示端末が前記許可端末であることが認証された場合、当該表示端末の識別情報が何れかの前記設置場所の識別情報に対応付けられて既に登録されているか否かを判定する第１判定手段を更に備え、前記登録手段は、前記第１判定手段により前記表示端末の識別情報が何れかの前記設置場所の識別情報に対応付けられて既に登録されていると判定された場合、前記受信された前記表示端末の識別情報及び前記設置場所の識別情報を登録しないことを特徴とする。
【０００９】
請求項３に記載の発明は、請求項１または２に記載の情報提供システムにおいて、前記読取手段は、前記施設の関係者により携帯された情報記録媒体に記録された当該関係者の識別情報を当該情報記録媒体から読み取り、前記表示制御手段は、前記提供情報のうち、当該読取手段により読み取られた前記識別情報が示す関係者の権限範囲内の提供情報を前記表示画面に表示させることを特徴とする。
【００１０】
請求項４に記載の発明は、請求項１乃至３の何れか一項に記載の情報提供システムにおいて、前記表示端末は、当該表示端末と前記サーバ装置との間の通信または当該表示端末と前記情報記録媒体との間の通信が切断した場合、前記提供情報を記憶するメモリをリフレッシュするメモリリフレッシュ手段を更に備えることを特徴とする。
【００１１】
請求項５に記載の発明は、請求項１乃至４の何れか一項に記載の情報提供システムにおいて、前記設置場所は、患者用のベッドが複数設置された施設内で当該ベッドが設置される場所であり、前記提供情報には、前記ベッドを使用する患者の情報が含まれることを特徴とする。
【００１２】
請求項６に記載の発明は、請求項１乃至４の何れか一項に記載の情報提供システムにおいて、前記設置場所は、会議室または学習室が複数設置された施設内の当該会議室または学習室の出入口の場所であり、前記提供情報には、前記会議室または学習室を使用する使用者の情報が含まれることを特徴とする。
【００１３】
請求項７に記載の発明は、請求項１乃至４の何れか一項に記載の情報提供システムにおいて、前記設置場所は、所定の物の製造設備を有する作業場が複数設けられた施設内の当該作業場であり、前記提供情報には、前記作業場において作業を行う作業者に対する作業指示情報が含まれることを特徴とする。
【００１４】
請求項８に記載の発明は、請求項１乃至７の何れか一項に記載の情報提供システムにおいて、前記サーバ送信手段は、前記登録手段により前記表示端末の識別情報と前記設置場所の識別情報とが登録された場合において、前記表示端末からの前記提供情報の要求があったときに、当該提供情報を、前記表示端末へ前記通信手段を介して送信することを特徴とする。
【００１５】
請求項９に記載の発明は、情報記録媒体から情報を読み取る読取機器が設置された施設内の設置場所であって複数の異なる前記設置場所毎に関連する提供情報を提供するサーバ装置と、前記情報記録媒体が装着され何れかの前記設置場所に設置される表示端末とが通信手段を介して通信可能な情報提供システムであって、前記読取機器は、当該読取機器が設置された前記設置場所の識別情報を記憶する機器情報記憶手段と、前記表示端末が前記設置場所に設置される際に、当該表示端末に装着された前記情報記録媒体に記録された当該表示端末の識別情報を当該情報記録媒体から読み取る読取手段と、前記機器情報記憶手段に記憶された前記設置場所の識別情報と、前記読取手段により読み取られた前記表示端末の識別情報とを前記通信手段を介してサーバ装置へ送信する機器送信手段と、前記読取手段は、さらに、前記施設の関係者により携帯された情報記録媒体に記録された当該関係者の識別情報を当該情報記録媒体から読み取り、前記機器送信手段は、さらに、前記表示端末の識別情報と、前記読取手段により読み取られた前記関係者の識別情報とを含む登録解除要求を前記通信手段を介してサーバ装置へ送信し、を備え、前記サーバ装置は、設置が許可された許可端末の識別情報を記憶する許可端末情報記憶手段と、前記読取機器から前記設置場所の識別情報及び前記表示端末の識別情報が受信されたとき、当該表示端末が前記許可端末であるかを認証する認証手段と、前記認証手段により前記表示端末が前記許可端末であることが認証された場合、前記受信された前記表示端末の識別情報と前記設置場所の識別情報とを対応付けて登録する登録手段と、前記登録手段により前記表示端末の識別情報と前記設置場所の識別情報とが登録された場合、当該登録された前記設置場所の識別情報に対応する前記提供情報を、当該識別情報が登録された前記表示端末へ前記通信手段を介して送信するサーバ送信手段と、登録解除権限を有する関係者の識別情報を記憶する解除権限者情報記憶手段と、前記読取機器から前記登録解除要求が受信されたとき、当該登録解除要求に含まれる前記関係者の識別情報が前記解除権限者情報記憶手段に記憶されているか否かを判定する判定手段と、前記判定手段により前記関係者の識別情報が記憶されていると判定された場合、前記登録解除要求に含まれる前記表示端末の識別情報及び当該識別情報に対応付けられた前記設置場所の識別情報の登録を解除する登録解除手段と、を備え、前記表示端末は、前記サーバ装置から受信した前記提供情報をメモリに記憶して表示画面に表示させる表示制御手段を備えることを特徴とする。
【００１６】
請求項１０に記載の発明は、情報記録媒体が設置された施設内の設置場所であって複数の異なる前記設置場所毎に関連する提供情報を提供するサーバ装置と、何れかの前記設置場所に設置される表示端末であって当該表示端末が前記設置場所に設置される際に、当該設置場所に設置された前記情報記録媒体に記録された当該設置場所の識別情報を当該情報記録媒体から読み取り当該表示端末の識別情報と前記読み取られた前記設置場所の識別情報とをサーバ装置へ送信する表示端末とが通信手段を介して通信可能な情報提供システムに含まれる前記サーバ装置であって、設置が許可された許可端末の識別情報を記憶する許可端末情報記憶手段と、前記表示端末から当該表示端末の識別情報及び前記設置場所の識別情報が受信されたとき、当該表示端末が前記許可端末であるかを認証する認証手段と、前記認証手段により前記表示端末が前記許可端末であることが認証された場合、前記受信された前記表示端末の識別情報と前記設置場所の識別情報とを対応付けて登録する登録手段と、前記登録手段により前記表示端末の識別情報と前記設置場所の識別情報とが登録された場合、当該登録された前記設置場所の識別情報に対応する前記提供情報を、当該識別情報が登録された前記表示端末へ前記通信手段を介して送信して当該提供情報を表示画面に表示させる表示制御手段と、登録解除権限を有する関係者の識別情報を記憶する解除権限者情報記憶手段と、前記表示端末の識別情報と、前記施設の関係者により携帯された情報記録媒体から前記表示端末により読み取られた当該関係者の識別情報とを含む登録解除要求を受信する受信手段と、前記表示端末から前記登録解除要求が受信されたとき、当該登録解除要求に含まれる前記関係者の識別情報が前記解除権限者情報記憶手段に記憶されているか否かを判定する判定手段と、前記判定手段により前記関係者の識別情報が記憶されていると判定された場合、前記登録解除要求に含まれる前記表示端末の識別情報及び当該識別情報に対応付けられた前記設置場所の識別情報の登録を解除する登録解除手段と、を備えることを特徴とする。
【発明の効果】
【００１７】
本発明によれば、表示端末が設置場所に設置される際に、セキュリティを保ちつつ、作業者による作業負荷を低減することができる。
【図面の簡単な説明】
【００１８】
【図１】第１実施形態に係る情報提供システムＳ１の概要構成例を示す図である。
【図２】（Ａ）は、病院、診療所、または介護施設等で用いられる提供情報データベースの登録例を示す図である。（Ｂ）は、対応付けリストの登録例を示す図である。
【図３】（Ａ），（Ｃ）は、ＩＤ登録及び情報提供時において表示端末Ｔ１の制御部２５により実行される処理の一例を示すフローチャートである。（Ｂ）は、ＩＤ登録及び情報提供時において情報提供サーバＳＡの制御部３３により実行される処理の一例を示すフローチャートである。
【図４】（Ａ）は、ＩＤ登録解除時において表示端末Ｔ１の制御部２５により実行される処理の一例を示すフローチャートである。（Ｂ）は、ＩＤ登録解除時において情報提供サーバＳＡの制御部３３により実行される処理の一例を示すフローチャートである。
【図５】第２実施形態に係る情報提供システムＳ２の概要構成例を示す図である。
【発明を実施するための形態】
【００１９】
以下、本発明の実施形態を図面に基づいて説明する。
【００２０】
［１．第１実施形態における情報提供システムＳ１の構成及び機能］
先ず、図１等を参照して、第１実施形態に係る情報提供システムＳ１の構成及び機能について説明する。なお、情報提供システムＳ１は、例えば、病院、診療所、介護施設、企業、学校、または工場などの施設において利用される。図１は、第１実施形態に係る情報提供システムＳ１の概要構成例を示す図である。図１に示すように、情報提供システムＳ１は、複数のＩＣタグＣｎ（ｎ＝１，２，３，４・・・）、複数の表示端末Ｔｍ（ｍ＝１，２，３・・・）、及び情報提供サーバＳＡ等を備えて構成される。ここで、情報提供サーバＳＡは、サーバ装置の一例である。ＩＣタグＣｎは、情報記録媒体の一例である。
【００２１】
ＩＣタグＣｎは、アンテナ１１、及びＩＣ（集積回路）チップ１２を備える。このアンテナ１１は、導体により構成される線状のループアンテナであり、表示端末Ｔｍに搭載されたリーダライタＲＷとの間で無線通信を行う。ＩＣタグＣｎは、施設内の複数の異なる設置場所に予め設置される。例えば、上記施設が、患者用のベッドが複数設置された病院、診療所、または介護施設等である場合、ＩＣタグＣｎは、当該施設（施設の部屋）内で患者用のベッドが設置される場所に設置（例えば、ベッドの枠等に接着材等で張り付け）される。一方、上記施設が、会議室が複数設置された企業（例えば、事業所）である場合、ＩＣタグＣｎは、当該施設内の会議室の出入口の場所に設置（例えば、会議室の出入口のドア面またはドア周辺の壁面等に接着材等で張り付け）される。一方、上記施設が、学習室が複数設置された学校（例えば大学）である場合、ＩＣタグＣｎは、当該施設内の学習室の出入口の場所に設置（例えば、学習室の出入口のドア面またはドア周辺の壁面等に接着材等で張り付け）される。一方、上記施設が、所定の物の製造設備を有する作業場が複数設けられた工場である場合、ＩＣタグＣｎは、当該施設内の当該作業場（例えば、作業者が配置される場所にある物等に接着材等で張り付け）に設置される。また、ＩＣチップ１２に備えられるＩＣチップの不揮発性メモリ（半導体メモリ）には設置場所ＩＤが記録される。設置場所ＩＤは、ＩＣタグＣｎが設置された設置場所の識別情報の一例であり、設置場所毎に異なる。
【００２２】
表示端末Ｔｍは、施設側で設置が許可された許可端末であり、ＩＣタグＣｎが設置された設置場所のうち、施設側で選定された設置場所に設置（例えば、ＩＣタグＣｎから数十ｃｍ以内に留め具等により固定設置）される。なお、表示端末Ｔｍは、コスト低減等の理由から、ＩＣタグＣｎが設置された全設置場所のうち、特に必要な設置場所（例えば、病院の場合、新人看護師が担当する患者のベッドが設置される場所）として施設側で選定された設置場所にだけ設置される場合がある。この場合、特に必要な設置場所が変われば、そこに設置された表示端末Ｔｍは、新たな設置場所へ移動されることになる。
【００２３】
また、表示端末Ｔｍは、通信部２１、表示部２２、操作部２３、記憶部２４（表示端末情報記憶手段の一例）、及び制御部２５等を備えて構成され、これらはバス２６を介して相互に接続される。なお、表示端末Ｔｍには、例えばタブレットや電子ペーパー等が適用可能である。また、表示端末Ｔｍには、リーダライタＲＷ（読取手段の一例）が備えられる。リーダライタＲＷは、バス２６及びＩＦ（インターフェース）２７を介して制御部２５に接続される。リーダライタＲＷは、例えば、リーダライタモードとして使用されるＩＣチップから構成される。リーダライタＲＷは、通信可能範囲（例えば、半径数十ｃｍの範囲）内に存在するＩＣタグＣｎとの間で無線通信（例えば13.56MHzの電波による無線通信）を行うことで、当該ＩＣタグＣｎに記録された設置場所ＩＤを当該ＩＣタグＣｎから読み取る。ここで、設置場所ＩＤを読み取るとは、例えば、リーダライタＲＷが、所定時間間隔（例えば数十〜数百ｍｓ）毎にポーリングを送出することで、該ポーリングを検知したＩＣタグＣｎから送出（レスポンスとして送出）された設置場所ＩＤを受信することを意味する。この構成により、リーダライタＲＷは、表示端末Ｔｍが設置場所に設置される際に、当該設置場所に設置されたＩＣタグＣｎに記録された設置場所ＩＤを当該ＩＣタグＣｎから読み取ることができる。
【００２４】
通信部２１は、例えば有線ＬＡＮまたは無線ＬＡＮを介して、インターネット等のネットワークＮＷ（通信手段の一例）に接続される。これにより、表示端末Ｔｍは、ネットワークＮＷを介して情報提供サーバＳＡと通信可能になっている。表示部２２は、表示画面を有するディスプレイを備える。表示部２２は、各種情報を表示するための表示画面を有し、制御部２５からの表示指令に応じて、各種情報を表示画面に表示する。操作部２３は、ユーザからの操作指示を受け付け、受け付けた操作に応じた信号を制御部２５へ出力する。なお、表示部２２及び操作部２３には、各種情報を表示画面に表示する表示機能と、人の指やペン等による操作を受け付ける入力機能とを有するタッチパネルが適用されるとよい。
【００２５】
記憶部２４は、例えばハードディスクドライブや不揮発性半導体メモリからなり、ＯＳ（オペレーティングシステム）、及び表示端末用アプリケーションプログラムを記憶する。また、記憶部２４には、端末ＩＤ及び認証キーが記憶される。端末ＩＤは、表示端末Ｔｍの識別情報の一例であり、表示端末Ｔｍ毎に異なる。端末ＩＤは、施設側で決められた番号であってもよいし、表示端末Ｔｍに対して割り当てられたＩＰアドレスまたはＭＡＣアドレスであってもよい。認証キーは、施設側で決められたパスワードであってもよいし、暗号鍵であってもよい。端末ＩＤ及び認証キーは、表示端末Ｔｍの認証に用いられる。端末ＩＤ及び認証キーを認証に用いることで、提供情報に対するセキュリティを向上させることができる。また、認証キーには、ワンタイムパスワードを用いると、提供情報に対するセキュリティを、より向上させることができる。この場合、記憶部２４には、端末ＩＤ及びSeedコード（Secret Key）が記憶される。ワンタイムパスワードは、ワンタイムパスワードトークンによって、現在の時刻（或いは情報提供サーバＳＡと共有されるイベント実行回数）と、Seedコードと、情報提供サーバＳＡと共有されるアルゴリズムとから生成される。なお、端末ＩＤのみが認証に用いられるように構成しても、一定のセキュリティを保つことができる（端末ＩＤは、基本的に、外部の目に触れないため）。この場合、記憶部２４には、認証キーが記憶されなくともよい。
【００２６】
制御部２５は、ＣＰＵ（Central Processing Unit），ＲＯＭ（Read Only Memory），ＮＶＭ（Nonvolatile Memory），及びＲＡＭ（Random Access Memory）等を備え、表示端末用アプリケーションプログラムを実行することで、本発明における端末送信手段、表示制御手段、及びメモリリフレッシュ手段等として機能する。より具体的には、制御部２５は、当該制御部２５を備える表示端末Ｔｍが設置場所に設置される際に、リーダライタＲＷによりＩＣタグＣｎから読み取られた設置場所ＩＤと、記憶部２４に記憶された端末ＩＤ、及び認証キー（ワンタイムパスワードの場合、ワンタイムパスワードトークンによって生成される）とをネットワークＮＷを介して情報提供サーバＳＡへ送信する。これに応じて、当該設置場所に関連する提供情報が情報提供サーバＳＡから送信されてきた場合、制御部２５は、当該提供情報を通信部２１を介して受信、取得する。そして、制御部２５は、情報提供サーバＳＡから受信した提供情報をメモリ（例えば、ＮＶＭまたはＲＡＭ）に記憶して表示画面に表示させる。
【００２７】
また、制御部２５は、表示端末Ｔｍと情報提供サーバＳＡとの間の通信が切断した（例えば、一定時間、レスポンスがない）場合、上記提供情報を記憶するメモリをリフレッシュする（つまり、当該提供情報をメモリから消去する）。これにより、セキュリティ対策が必要な提供情報の場合、表示端末Ｔｍが第三者により無断で外部に持ち出された場合であっても、提供情報に対するセキュリティを向上させることができる。例えば、表示端末Ｔｍと情報提供サーバＳＡとが有線ＬＡＮを介して接続されている場合、表示端末Ｔｍの通信部２１におけるＬＡＮポートからＬＡＮケーブルが引き抜かれることで、表示端末Ｔｍと情報提供サーバＳＡとの間の通信が切断したと判断される。一方、表示端末Ｔｍと情報提供サーバＳＡとが無線ＬＡＮを介して接続されている場合、表示端末Ｔｍが設置場所から取り外され、通信可能範囲（例えば、数ｍ）外へ移動されることで、表示端末Ｔｍと情報提供サーバＳＡとの間の通信が切断したと判断される。なお、制御部２５は、表示端末ＴｍとＩＣタグＣｎとの間の通信が切断した場合、上記提供情報を記憶するメモリをリフレッシュしてもよい。例えば、リーダライタＲＷから定期的に送出されるポーリングに対するレスポンスがＩＣタグＣｎから無い場合に、表示端末ＴｍとＩＣタグＣｎとの間の通信が切断したと判断される。
【００２８】
情報提供サーバＳＡは、複数の異なる設置場所毎に関連する提供情報を提供する。情報提供サーバＳＡは、通信部３１、記憶部３２（許可端末情報記憶手段及び解除権限者情報記憶手段の一例）、及び制御部３３等を備えて構成され、これらはバス３４を介して相互に接続される。通信部３１は、例えば有線ＬＡＮを介してネットワークＮＷに接続される。記憶部３２は、例えばハードディスクドライブからなり、ＯＳ、及びサーバプログラムを記憶する。また、記憶部３２には、設置が許可された許可端末（つまり、表示端末Ｔｍ）の端末ＩＤ及び認証キーが記憶される。また、認証キーに、ワンタイムパスワードが用いられる場合、記憶部３２には、端末ＩＤ及びSeedコードが記憶される。なお、端末ＩＤのみが認証に用いられる場合、記憶部３２には、認証キーが記憶されなくともよい。
【００２９】
また、記憶部３２には、提供情報データベースが構築される。提供情報データベースには、複数の設置場所ＩＤ毎に、設置場所ＩＤと提供情報とが対応付けられて登録されている。設置場所ＩＤに対応付けられた提供情報は、当該設置場所ＩＤにより識別される設置場所に関連する提供情報である。例えば、上記施設が、患者用のベッドが複数設置された病院、診療所、または介護施設等である場合、上記提供情報には、上記設置場所ＩＤにより識別される設置場所に設置されるベッドを使用する患者の情報が含まれる。患者の情報には、患者の氏名、生年月日、血液型などが含まれる。また、患者の情報には、患者の看護に必要な情報（例えば、飲食は禁止、立たせることは禁止）が含まれてもよい。なお、設置場所ＩＤとこれに対応する患者の情報は、患者と当該患者が使用するベッドの場所を対応付けて管理するシステムから取得されてもよいし、情報提供サーバＳＡに接続された管理者端末から管理者により入力されることで取得されてもよい。図２（Ａ）は、病院、診療所、または介護施設等で用いられる提供情報データベースの登録例を示す図である。図２（Ａ）に示す提供情報データベースには、設置場所ＩＤに対応付けられて患者の情報が登録されている。
【００３０】
一方、上記施設が、会議室が複数設置された企業である場合、上記提供情報には、上記設置場所ＩＤにより識別される設置場所にある会議室を使用する使用者の情報が含まれる。使用者の情報には、使用者の氏名、部署名、使用時間（例えば、８時〜１１時）などが含まれる。なお、設置場所ＩＤとこれに対応する使用者の情報は、使用者と当該使用者が使用する会議室の場所（会議室を特定可能な番号でもよい）を対応付けて管理するシステムから取得されてもよいし、情報提供サーバＳＡに接続された管理者端末から管理者により入力されることで取得されてもよい。一方、上記施設が、学習室が複数設置された学校である場合、上記提供情報には、上記設置場所ＩＤにより識別される設置場所にある学習室を使用する使用者の情報が含まれる。使用者の情報には、使用者の氏名、学年、クラス名、使用時間（例えば、８時〜１１時）などが含まれる。なお、設置場所ＩＤとこれに対応する使用者の情報は、使用者と当該使用者が使用する学習室の場所（学習室を特定可能な番号でもよい）を対応付けて管理するシステムから取得されてもよいし、情報提供サーバＳＡに接続された管理者端末から管理者により入力されることで取得されてもよい。一方、上記施設が、製造設備を有する作業場が複数設けられた工場である場合、上記設置場所ＩＤにより識別される設置場所にある作業場において作業を行う作業者に対する作業指示（どのような作業を行うかの指示）情報が含まれる。なお、設置場所ＩＤとこれに対応する作業指示情報は、作業指示情報と作業場を対応付けて管理するシステムから取得されてもよいし、情報提供サーバＳＡに接続された管理者端末から管理者により入力されることで取得されてもよい。なお、提供情報データベースは、情報提供サーバＳＡ以外の他のサーバに設けられていてもよい。
【００３１】
制御部３３は、ＣＰＵ，ＲＯＭ，及びＲＡＭ等を備え、サーバプログラムを実行することで、本発明における認証手段、登録手段、第１判定手段、第２判定手段、及び登録解除手段、及びサーバ送信手段等として機能する。制御部２５は、表示端末Ｔｍから当該表示端末Ｔｍの端末ＩＤ、認証キー、及び設置場所ＩＤが通信部３１を介して受信されたとき、当該表示端末Ｔｍが許可端末であるかを認証する。例えば、制御部３３は、表示端末Ｔｍから受信された端末ＩＤ及び認証キーが記憶部３２に記憶されている場合、当該表示端末Ｔｍが許可端末であることを認証する。なお、認証キーに、ワンタイムパスワードが用いられる場合、制御部２５は、表示端末Ｔｍから受信された端末ＩＤに対応付けられたSeedコードと現在の時刻（或いは情報提供サーバＳＡと共有されるイベント実行回数）と表示端末Ｔｍと共有されるアルゴリズムとからワンタイムパスワードを生成し、生成したワンタイムパスワードと、表示端末Ｔｍから受信されたワンタイムパスワードとが閾値範囲（誤差を考慮した範囲）内で合致すれば、当該表示端末Ｔｍが許可端末であることを認証する。制御部２５は、表示端末Ｔｍが許可端末であることが認証された場合、上記受信された端末ＩＤと設置場所ＩＤとを対応付けて対応付けリストに登録する。なお、既に端末ＩＤが対応付けリストに登録されている場合、当該端末ＩＤの２重登録は行われないように構成することが望ましい。そして、制御部２５は、端末ＩＤと設置場所ＩＤとが対応付けリストに登録された場合、当該登録された設置場所ＩＤに対応する提供情報を提供情報データベースから取得（設置場所ＩＤをキーとして取得）し、当該端末ＩＤが登録された表示端末ＴｍへネットワークＮＷを介して送信する。図２（Ｂ）は、対応付けリストの登録例を示す図である。図２（Ｂ）に示す対応付けリストには、設置場所ＩＤに対応付けられて端末ＩＤが登録されている。このように登録された端末ＩＤ及び設置場所ＩＤは、登録解除権限を有する関係者の登録解除指示に応じて登録解除（つまり、端末ＩＤ及び設置場所ＩＤが対応付けリストから消去）されるように構成することが望ましい。この場合、記憶部３２には、登録解除権限を有する関係者のユーザＩＤが記憶される。ユーザＩＤは、登録解除権限を有する関係者の識別情報の一例であり、関係者毎に異なる。上記施設が病院、診療所、または介護施設等である場合、登録解除権限を有する関係者には、例えば医師や看護師等が該当する。一方、上記施設が企業または学校である場合、登録解除権限を有する関係者には、例えば会議室または学習室の管理者等が該当する。一方、上記施設が工場である場合、登録解除権限を有する関係者には、例えば工場長や現場責任者等が該当する。
【００３２】
［２. 第１実施形態における情報提供システムＳ１の動作］
次に、第１実施形態に係る情報提供システムＳ１の動作について説明する。
【００３３】
（２−１）ＩＤ登録及び情報提供時の動作例
先ず、図３を参照して、ＩＤ登録及び情報提供時の動作例について説明する。図３（Ａ），（Ｃ）は、ＩＤ登録及び情報提供時において表示端末Ｔ１の制御部２５により実行される処理の一例を示すフローチャートである。図３（Ｂ）は、ＩＤ登録及び情報提供時において情報提供サーバＳＡの制御部３３により実行される処理の一例を示すフローチャートである。
【００３４】
図３（Ａ）は、表示端末Ｔｍの電源入またはリセットによって制御部２５が起動することにより開始される。図３（Ａ）に示す処理が開始されると、制御部２５は、リーダライタＲＷから設置場所ＩＤを取得したか否かを判定する（ステップＳ１）。例えば表示端末Ｔ１が施設内における所定の設置場所に設置される際に、リーダライタＲＷは、当該設置場所に設置されたＩＣタグＣ１に記録された設置場所ＩＤを当該ＩＣタグＣ１から読み取り、読み取った設置場所ＩＤを制御部２５へ出力する。これにより、設置場所ＩＤがリーダライタＲＷから制御部２５に入力されることで、制御部２５は、リーダライタＲＷから設置場所ＩＤを取得したと判定した場合（ステップＳ１：ＹＥＳ）、ステップＳ２へ進む。一方、制御部２５は、リーダライタＲＷから設置場所ＩＤを取得していないと判定した場合（ステップＳ１：ＮＯ）、ステップＳ１に戻り、当該判定を所定回数、繰り返し、その間に設置場所ＩＤを取得したと判定されない場合、例えばエラーメッセージを出力する。ステップＳ２では、制御部２５は、記憶部２４から端末ＩＤ、及び認証キー（ワンタイムパスワードの場合、ワンタイムパスワードトークンによって生成される）を取得する。次いで、制御部２５は、ステップＳ１で取得された設置場所ＩＤと、ステップＳ２で取得された端末ＩＤ及び認証キーとを含む登録要求を通信部２１及びネットワークＮＷを介して情報提供サーバＳＡへ送信する（ステップＳ３）。なお、制御部２５は、上記登録要求を送信してから所定時間経過した後に、提供情報の要求を情報提供サーバＳＡへ送信してもよい。
【００３５】
また、表示端末Ｔ１が上記設置場所に設置された後、例えば、リーダライタＲＷから所定時間間隔で送出されるポーリングに応じて設置場所ＩＤが制御部２５に入力されるが、リーダライタＲＷとＩＣタグＣ１との間の通信が切断しない限り（或いは、表示端末Ｔｍのリセットされない限り）、２回目以降に取得される設置場所ＩＤは破棄され、ステップＳ２へは進まず（このとき、再度、情報提供サーバＳＡへ提示情報の要求を行ってもよい）、ステップＳ１に戻る。一方、リーダライタＲＷとＩＣタグＣ１との間の通信が切断した（つまり、一定時間、レスポンスがない）場合（或いは、表示端末Ｔ１がリセットされた場合）において、その後に、再び、設置場所ＩＤが制御部２５に入力されると、ステップＳ２へ処理が進むことになる。ここで、リーダライタＲＷとＩＣタグＣ１との間の通信が切断した場合の例として、表示端末Ｔ１の設置場所への設置後、当該設置場所から通信可能範囲外へ移動された場合が挙げられる。例えば、表示端末Ｔ１が、ＩＣタグＣ１の設置場所に設置された後、当該設置場所からＩＣタグＣ２の設置場所へ移動されたとき、制御部２５は、ＩＣタグＣ２から読み取られた設置場所ＩＤをリーダライタＲＷから取得すると、ステップＳ２へ処理が進むことになる。
【００３６】
一方、情報提供サーバＳＡは、表示端末Ｔ１から送信された登録要求を受信すると、図３（Ｂ）に示す処理を開始する。図３（Ｂ）に示す処理が開始されると、制御部３３は、表示端末Ｔ１が許可端末であるかを認証し、許可端末である（例えば、表示端末Ｔｍから受信された登録要求に含まれる端末ＩＤ及び認証キーが記憶部３２に記憶されている、或いはワンタイムパスワードが閾値範囲内で合致する）場合（ステップＳ１１：認証ＯＫ）、ステップＳ１２へ進む。一方、許可端末でない場合（ステップＳ１１：認証ＮＧ）、処理が終了し、受信待ちとなる。ステップＳ１１で表示端末Ｔ１が許可端末であることが認証された場合、制御部３３は、受信された登録要求に含まれる端末ＩＤ（つまり、表示端末Ｔ１の識別情報）が何れかの設置場所ＩＤ（例えば、ＩＣタグＣ１の設置場所ＩＤ、またはＩＣタグＣ２の設置場所ＩＤ）に対応付けられて既に対応付けリストに登録されているか否かを判定する（ステップＳ１２）。
【００３７】
そして、制御部３３は、受信された登録要求に含まれる端末ＩＤが対応付けリストに登録されていないと判定した場合（ステップＳ１２：ＮＯ）、受信された登録要求に含まれる端末ＩＤと設置場所ＩＤとを対応付けて対応付けリストに登録し（ステップＳ１３）、ステップＳ１４へ進む。ここで、端末ＩＤが表示端末１のＩＰアドレスでない場合、制御部３３は、当該端末ＩＤに対応付けて表示端末Ｔ１のＩＰアドレス及びポート番号を対応付けリストに登録するとよい。一方、制御部３３は、受信された登録要求に含まれる端末ＩＤが何れかの設置場所ＩＤに対応付けられて既に対応付けリストに登録されていると判定した場合（ステップＳ１２：ＹＥＳ）、受信された登録要求に含まれる端末ＩＤ及び設置場所ＩＤを登録せずに処理を終了し、受信待ちとなる。これにより、端末ＩＤの２重登録を防止することができる。そのため、例えば表示端末Ｔ１が第三者により無断で他の設置場所に移動され、当該他の設置場所のＩＣタグＣ２から設置場所ＩＤが読み取られて端末ＩＤと共に情報提供サーバＳＡへ送信された場合であっても、当該他の設置場所に関連する提供情報（例えば、患者の情報）が表示端末Ｔ１に表示されることを防止することができ、よって、提供情報に対するセキュリティを向上させることができる。なお、上記受信された登録要求に含まれる端末ＩＤと設置場所ＩＤとが対応付けられて既に対応付けリストに登録されている場合、２重登録は行わないが、ステップＳ１４に進むように構成してもよい。これにより、表示端末Ｔ１の設置場所が移動されずにリセットされたときにも、当該表示端末Ｔ１に迅速に提供情報を提供することができる。
【００３８】
ステップＳ１３において端末ＩＤと設置場所ＩＤとが対応付けられて登録された場合、制御部３３は、当該登録された設置場所ＩＤに対応する提供情報を提供情報データベースから取得し、取得した提供情報を表示端末Ｔ１へネットワークＮＷを介して送信し（ステップＳ１４）、処理を終了し、受信待ちとなる。なお、提供情報は、表示端末Ｔ１からの要求があったときに当該表示端末Ｔ１へ送信されてもよい。すなわち、ステップＳ１３において端末ＩＤと設置場所ＩＤとが対応付けられて登録された場合において、表示端末Ｔ１からの提供情報の要求があったときに（つまり、当該要求が表示端末Ｔ１から受信されることを送信条件として）、制御部３３は、上記登録された設置場所ＩＤに対応する提供情報を提供情報データベースから取得し、取得した提供情報を表示端末Ｔ１へネットワークＮＷを介して送信する。また、提供情報の送信後、制御部３３は、タイマーを起動し、当該タイマーがカウントアップしたときに、上記対応付けリストに登録されている端末ＩＤに対応付けられた設置場所ＩＤに基づき提供情報を提供情報データベースから取得し、取得した提供情報を、当該端末ＩＤに対応する表示端末Ｔ１へネットワークＮＷを介して送信してもよい。これにより、提供情報データベースに登録された提供情報が更新された場合であっても、定期的に最新の提供情報を表示端末Ｔ１へ提供することができる。
【００３９】
一方、表示端末Ｔ１は、情報提供サーバＳＡから送信された提供情報を受信すると、図３（Ｃ）に示す処理を開始する。図３（Ｃ）に示す処理が開始されると、制御部２５は、受信された提供情報をメモリに記憶（既に記憶されている提供情報がある場合には上書き）し（ステップＳ４）、当該メモリに記憶された提供情報を表示画面に表示させる（ステップＳ５）。このようにして表示された提供情報の表示は、新たな提供情報が受信されるか、或いは当該メモリがリフレッシュされるまで継続する。
【００４０】
（２−２）ＩＤ登録解除時の動作例
次に、図４を参照して、ＩＤ登録解除時の動作例について説明する。図４（Ａ）は、ＩＤ登録解除時において表示端末Ｔ１の制御部２５により実行される処理の一例を示すフローチャートである。図４（Ｂ）は、ＩＤ登録解除時において情報提供サーバＳＡの制御部３３により実行される処理の一例を示すフローチャートである。このようなＩＤ登録解除は、例えば、表示端末Ｔｍの設置場所への設置後、当該設置場所から移動されたときに行われる。
【００４１】
図４（Ａ）は、例えば施設の登録解除権限を有する関係者（例えば、病院の医師）の登録解除指示があった場合（例えば、操作部２３から登録解除指示入力があった場合）に開始される。図４（Ａ）に示す処理が開始されると、制御部２５は、リーダライタＲＷからユーザＩＤを取得したか否かを判定する（ステップＳ２１）。例えば表示端末Ｔ１が設置場所から上記関係者取り外され、別の設置場所に移動される際に、リーダライタＲＷは、当該関係者により携帯されたＩＣカード（情報記録媒体の一例）に記録された当該関係者のユーザＩＤを当該ＩＣカードから読み取り、読み取ったユーザＩＤを制御部２５へ出力する。これにより、ユーザＩＤがリーダライタＲＷから制御部２５に入力されることで、制御部２５は、リーダライタＲＷからユーザＩＤを取得したと判定した場合（ステップＳ２１：ＹＥＳ）、ステップＳ２２へ進む。一方、制御部２５は、リーダライタＲＷからユーザＩＤを取得していないと判定した場合（ステップＳ２１：ＮＯ）、ステップＳ２１に戻り、当該判定を繰り返す。ステップＳ２２では、制御部２５は、記憶部２４から端末ＩＤを取得する。次いで、制御部２５は、ステップＳ２１で取得されたユーザＩＤと、ステップＳ２２で取得された端末ＩＤとを含む登録解除要求を通信部２１及びネットワークＮＷを介して情報提供サーバＳＡへ送信する（ステップＳ２３）。
【００４２】
一方、情報提供サーバＳＡは、表示端末Ｔ１から送信された登録解除要求を受信すると、図４（Ｂ）に示す処理を開始する。図４（Ｂ）に示す処理が開始されると、制御部３３は、受信された登録解除要求に含まれるユーザＩＤが、登録解除権限を有する関係者のユーザＩＤとして記憶部３２に記憶されているか否かを判定する（ステップＳ３１）。制御部３３は、受信された登録解除要求に含まれるユーザＩＤが記憶されていないと判定した場合（ステップＳ３１：ＮＯ）、例えばエラーメッセージを表示端末Ｔ１へ送信し、処理を終了する。一方、制御部３３は、受信された登録解除要求に含まれるユーザＩＤが記憶されていると判定した場合（ステップＳ３１：ＹＥＳ）、ステップＳ３２へ進む。
【００４３】
ステップＳ３２では、制御部３３は、受信された登録解除要求に含まれる端末ＩＤが対応付けリストに登録されているか否かを判定する。制御部３３は、受信された登録解除要求に含まれる端末ＩＤが対応付けリストに登録されていないと判定した場合（ステップＳ３２：ＮＯ）、例えばエラーメッセージを表示端末Ｔ１へ送信し、処理を終了する。一方、制御部３３は、受信された登録解除要求に含まれる端末ＩＤが対応付けリストに登録されていると判定した場合（ステップＳ３２：ＹＥＳ）、受信された登録解除要求に含まれる端末ＩＤ及び当該端末ＩＤに対応付けられた設置場所ＩＤの登録を解除（つまり、当該端末ＩＤ及び設置場所ＩＤを対応付けリストから消去）し（ステップＳ３３）、処理を終了する。これにより、例えば、上述したように、特に必要な設置場所が変わることで、登録解除権限を有する関係者により表示端末Ｔ１が新たな設置場所へ移動される場合に、表示端末Ｔ１の端末ＩＤと、新たな設置場所の設置場所ＩＤとを迅速に対応付けリストに登録させ、当該新たな設置場所に関連する提供情報を表示端末Ｔ１に表示させることができる。
【００４４】
以上説明したように、上記第１実施形態によれば、表示端末Ｔｍは、当該表示端末Ｔｍが設置場所に設置される際に当該設置場所に設置されたＩＣタグＣｎから読み取られた設置場所ＩＤと当該表示端末Ｔｍに記憶された端末ＩＤとを情報提供サーバＳＡへ送信し、情報提供サーバＳＡは、設置場所ＩＤ及び端末ＩＤが受信されたとき、当該表示端末Ｔｍが許可端末であるかを認証し、これが認証された場合、設置場所ＩＤと当該表示端末Ｔｍの端末ＩＤとを対応付けて登録し、当該登録された設置場所ＩＤに対応する提供情報を、当該表示端末Ｔｍへ送信して表示画面に表示させるように構成したので、表示端末Ｔｍが設置場所に設置される際に、セキュリティを保ちつつ、作業者による作業負荷を低減することができる。
【００４５】
なお、上記第１実施形態において、表示端末Ｔｍは、例えば設置場所ＩＤの読み取り後に、施設の関係者により携帯されたＩＣカードに記録された当該関係者のユーザＩＤを当該ＩＣカードからリーダライタＲＷにより読み取って情報提供サーバＳＡへ送信することで、提供情報データベースに登録された提供情報のうち、当該リーダライタＲＷにより読み取られたユーザＩＤが示す関係者の権限範囲内の提供情報を表示画面に表示させるように構成してもよい。これにより、関係者の権限範囲に限られた提供情報を提供することができるので、提供情報に対するセキュリティを、より向上させることができる。この構成の場合、例えば、上述した提供情報は、権限範囲毎に予め分割されて提供情報データベースに登録され、且つ、当該分割された提供情報に対して関係者のユーザＩＤが対応付けられて提供情報データベースに登録される。そして、情報提供サーバＳＡは、表示端末Ｔｍから受信された設置場所ＩＤに対応し、且つ表示端末Ｔｍから受信された関係者のユーザＩＤに対応付けられた提供情報を提供情報データベースから取得し、取得した提供情報を表示端末Ｔ１へネットワークＮＷを介して送信することになる。
【００４６】
また、上記第１実施形態において、ＩＣタグＣｎの代わりに、設置場所ＩＤを示すバーコードが記録（印字）された紙媒体（例えばシール）が情報記録媒体として用いられてもよい。この場合、リーダライタＲＷとしてバーコードリーダが適用される。
【００４７】
［３. 第２実施形態における情報提供システムＳ２の構成及び動作等］
次に、上記第１実施形態においては、リーダライタＲＷが表示端末Ｔｍに備えられ、ＩＣタグＣｎが設置場所に設置されるように構成したが、第２実施形態として、リーダライタＲＷｎが設置場所に設置され、ＩＣタグＣｍが表示端末Ｔｍに装着されるように構成してもよい。図５は、第２実施形態に係る情報提供システムＳ２の概要構成例を示す図である。図５に示すように、情報提供システムＳ２は、複数のリーダライタＲＷｎ（ｎ＝１，２，３，４・・・）、複数の表示端末Ｔｍ（ｍ＝１，２，３・・・）、それぞれの表示端末Ｔｍに装着（例えば、表示端末Ｔｍに接着材等で張り付け）されたＩＣタグＣｍ（ｍ＝１，２，３・・・）、及び情報提供サーバＳＡ等を備えて構成される。ここで、ＩＣタグＣｍは、上述したＩＣタグＣｎと同様、アンテナ１１、及びＩＣチップ１２を備える。このアンテナ１１は、リーダライタＲＷｎとの間で無線通信を行う。ＩＣチップ１２に備えられるＩＣチップの不揮発性メモリには、当該ＩＣタグＣｍが装着された表示端末Ｔｍの端末ＩＤ、及び認証キーが記録される。なお、ＩＣチップ１２には、認証キーが記録されなくともよい。
【００４８】
リーダライタＲＷｎは、読取機器の一例であり、上述した施設内の複数の異なる設置場所に予め設置され、例えば有線ＬＡＮまたは無線ＬＡＮを介して、ネットワークＮＷに接続される。これにより、リーダライタＲＷｎは、ネットワークＮＷを介して情報提供サーバＳＡと通信可能になっている。リーダライタＲＷｎは、第１実施形態におけるリーダライタＲＷと同様、リーダライタモードとして使用されるＩＣチップから構成される。また、リーダライタＲＷｎは、通信可能範囲内に存在するＩＣタグＣｍとの間で無線通信を行うことで、当該ＩＣタグＣｍに記録された端末ＩＤ及び認証キー（端末ＩＤだけも場合もある）を当該ＩＣタグＣｍから読み取る（読取手段により読み取る）。リーダライタＲＷｎの不揮発性メモリ（機器情報記憶手段の一例）には、上述した設置場所ＩＤが記憶される。リーダライタＲＷは、表示端末Ｔｍが設置場所に設置される際に、当該表示端末Ｔｍに装着されたＩＣタグＣｍに記録された端末ＩＤ及び認証キーを当該ＩＣタグＣｍから読み取ることができる。そして、リーダライタＲＷは、不揮発性メモリに記憶された設置場所ＩＤと、読み取られた端末ＩＤ及び認証キー（端末ＩＤだけも場合もある）とをネットワークＮＷを介して情報提供サーバＳＡへ送信する（機器送信手段により送信する）。
【００４９】
第２実施形態における情報提供サーバＳＡの構成は、基本的には第１実施形態と同様、通信部３１、記憶部３２（許可端末情報記憶手段及び解除権限者情報記憶手段の一例）、及び制御部３３等を備えて構成され、これらはバス３４を介して相互に接続される。記憶部３２には、設置が許可された許可端末（つまり、表示端末Ｔｍ）の端末ＩＤ、当該許可端末のＩＰアドレス及びポート番号が記憶される。なお、端末ＩＤのみが認証に用いられる場合、記憶部３２には、認証キーが記憶されなくともよい。また、記憶部３２には、第１実施形態と同様、提供情報データベースが構築される。制御部３３は、第１実施形態と同様、サーバプログラムを実行することで、本発明における認証手段、登録手段、第１判定手段、第２判定手段、及び登録解除手段、及びサーバ送信手段等として機能する。制御部３３は、リーダライタＲＷｎから表示端末Ｔｍの端末ＩＤ、認証キー、及び設置場所ＩＤが通信部３１を介して受信されたとき、当該表示端末Ｔｍが許可端末であるかを認証する。例えば、制御部３３は、表示端末Ｔｍから受信された端末ＩＤ及び認証キーが記憶部３２に記憶されている場合、当該表示端末Ｔｍが許可端末であることを認証する。制御部３３は、表示端末Ｔｍが許可端末であることが認証された場合、上記受信された端末ＩＤと設置場所ＩＤとを対応付けて対応付けリストに登録する。そして、制御部３３は、端末ＩＤと設置場所ＩＤとが対応付けリストに登録された場合、当該登録された設置場所ＩＤに対応する提供情報を提供情報データベースから取得し、当該端末ＩＤが登録された表示端末ＴｍへネットワークＮＷを介して送信（当該端末ＩＤに対応付けられたＩＰアドレス及びポート番号を用いて送信）する。なお、図３（Ｂ）に示す処理、及び図４（Ｂ）に示す処理は、第２実施形態における情報提供サーバＳＡにも適用することができる。
【００５０】
第２実施形態における表示端末Ｔｍの構成は、基本的には第１実施形態と同様であるが、リーダライタＲＷは備えられていない。第２実施形態における表示端末Ｔｍの制御部２５は、表示端末用アプリケーションプログラムを実行することで、本発明における表示制御手段、及びメモリリフレッシュ手段等として機能する。制御部２５は、情報提供サーバＳＡから提供情報が送信されてきた場合、当該提供情報を通信部２１を介して受信、取得する。そして、制御部２５は、情報提供サーバＳＡから受信した提供情報をメモリに記憶して表示画面に表示させる。また、制御部２５は、表示端末Ｔｍと情報提供サーバＳＡとの間の通信が切断した場合、上記提供情報を記憶するメモリをリフレッシュする。なお、図３（Ｃ）に示す処理、及び図４（Ａ）に示す処理は、第２実施形態における表示端末Ｔｍにも適用することができる。
【００５１】
以上説明したように、上記第２実施形態によれば、リーダライタＲＷｎは、表示端末Ｔｍが設置場所に設置される際に当該表示端末Ｔｍに装着されたＩＣタグＣｍから読み取られた端末ＩＤと当該リーダライタＲＷｎに記憶された設置場所ＩＤとを情報提供サーバＳＡへ送信し、情報提供サーバＳＡは、設置場所ＩＤ及び端末ＩＤが受信されたとき、当該表示端末Ｔｍが許可端末であるかを認証し、これが認証された場合、設置場所ＩＤと当該表示端末Ｔｍの端末ＩＤとを対応付けて登録し、当該登録された設置場所ＩＤに対応する提供情報を、当該表示端末Ｔｍへ送信して表示画面に表示させるように構成したので、表示端末Ｔｍが設置場所に設置される際に、セキュリティを保ちつつ、作業者による作業負荷を低減することができる。
【符号の説明】
【００５２】
１１  アンテナ
１２  ＩＣチップ
２１，３１  通信部
２２  表示部
２３  操作部
２４，３２  記憶部
２５，３３  制御部
２６，３４  バス
ＲＷ，ＲＷｎ  リーダライタ
Ｃｍ，Ｃｎ  ＩＣタグ
Ｔｍ  表示端末
ＳＡ  情報提供サーバ
ＮＷ  ネットワーク
Ｓ１、Ｓ２  情報提供システム
【図１】
0006766401.tif 000002
【図２】
0006766401.tif 000003
【図３】
0006766401.tif 000004
【図４】
0006766401.tif 000005
【図５】
0006766401.tif 000006